(57)【要約】【課題】振動が存在する測定環境下においても、各フィルタに対応する静止画像を確実に取得することを可能にし、表面温度分布の測定精度を確保することができる表面温度測定方法およびそれに用いられる表面温度測定装置を提供する。【解決手段】画像撮影工程は、複数の異なる波長帯の赤外線について、各波長帯の熱画像を撮影するための撮影期間をそれぞれに割り当てて、各撮影期間において、撮影時刻順にフレーム番号を付与しつつ所定の間隔で複数回撮影することで、それぞれの波長帯の熱画像を複数取得し、かつ、前記各撮影期間を連続させることにより、複数の異なる波長帯の複数の熱画像の集合である動画を取得する動画撮影工程と、取得した一連の動画から、それぞれの波長帯に対応する各撮影期間を検出するとともに、各撮影期間において取得した複数の熱画像から、それぞれの波長帯に対応する最適な熱画像を一つずつ抽出する最適画像抽出工程と、を有する。【選択図】図５
2010261814.tif 000002
【特許請求の範囲】
【請求項１】
対象物の表面から放射される赤外線の強度分布を表す静止画像である熱画像を、複数の異なる波長帯の赤外線について撮影し、複数の前記熱画像を取得する熱画像取得工程と、
撮影した複数の前記熱画像に基づいて、前記対象物の真の表面温度の分布を演算する表面温度演算工程と、
を有する表面温度測定方法であって、
前記画像撮影工程は、
複数の異なる波長帯の赤外線について、各波長帯の熱画像を撮影するための撮影期間をそれぞれに割り当てて、各撮影期間において、それぞれの波長帯の熱画像を、撮影時刻順にフレーム番号を付与しつつ所定の間隔で複数回撮影することで、それぞれの波長帯の熱画像を複数取得し、かつ、
前記各撮影期間を連続させることにより、複数の異なる波長帯の複数の熱画像の集合である動画を取得する動画撮影工程と、
該動画撮影工程で取得した前記一連の動画から、それぞれの波長帯に対応する各撮影期間を検出するとともに、各撮影期間において取得した複数の熱画像から、それぞれの波長帯に対応する最適な熱画像を一つずつ抽出する最適画像抽出工程と、
を有する、
ことを特徴とする表面温度測定方法。
【請求項２】
前記最適画像抽出工程は、
前記一連の動画を構成する各熱画像において検出した各最高温度と、
前記各最高温度の微分値と、
該各最高温度の微分値に対して規定する判定閾値と、
に基づいて、
前記各最高温度の微分値のうち、
当該熱画像の最高温度の微分値が前記判定閾値以上であり、かつ、
当該熱画像より一つ前のフレーム番号に該当する熱画像の最高温度の微分値が前記判定閾値未満である当該熱画像のフレーム番号を、波長帯ごとに検出し、
波長帯ごとに検出した各フレーム番号を基準として、
該基準となる各フレーム番号から所定のフレーム数だけ遡った各フレーム番号に該当する複数の熱画像を、
前記それぞれの波長帯に対応する最適な熱画像として抽出する、
ことを特徴とする請求項１記載の表面温度測定方法。
【請求項３】
前記判定閾値は、
前記各最高温度の微分値の標準偏差とする、
ことを特徴とする請求項２記載の表面温度測定方法。
【請求項４】
赤外線の強度分布を検出する赤外線分布検出手段と、
それぞれ異なる波長帯の赤外線が透過可能な三種類以上のフィルタと、
前記三種類以上のフィルタのいずれが前記赤外線分布検出手段の光路を覆うかを切り替える切り替え装置と、
を備え、
波長帯が異なる三種類以上の赤外線の強度分布を検出する表面温度測定装置であって、
該表面温度測定装置は、
前記三種類以上のフィルタに加えて、赤外線を透過しないパネルを備え、かつ、
前記赤外線分布検出手段は、
赤外線の強度分布を表す静止画像である熱画像を、
該熱画像の集合である動画として取得する、
ことを特徴とする表面温度測定装置。
【請求項５】
前記パネルは、
黒体によって形成する、
ことを特徴とする請求項４記載の表面温度測定装置。
【発明の詳細な説明】
【技術分野】
【０００１】
本発明は、赤外線サーモグラフィによる表面温度測定方法および当該測定方法に用いられる表面温度測定装置の技術に関する。
【背景技術】
【０００２】
従来、波長帯の異なる複数種類の赤外線を検出することで行われる対象物の表面温度（表面温度分布）の測定において、表面状態（即ち、表面の反射率等の状態）が不安定な対象物であっても、当該対象物の表面温度分布を精度良く測定することができる多色法を用いた赤外線サーモグラフィの技術が知られており、例えば、以下に示す特許文献１にその技術が開示され公知となっている。
【０００３】
特許文献１には、三色放射温度計を用いた赤外線サーモグラフィによる表面温度測定方法（三色法）および当該測定方法に用いられる表面温度測定装置に係る従来技術が開示されている。当該従来技術は、異なる三種類のフィルタを通して赤外線の強度分布を表す静止画像（以下、「赤外線の強度分布を表す静止画像」を「熱画像」と記載する）を撮影（取得）することによって、波長帯の異なる三種類の熱画像を撮影し、三種類の熱画像に基づいて真の表面温度分布の演算を行うことによって、精度の良い表面温度分布の測定を実現するものである。
【０００４】
当該従来技術では、異なる三種類のフィルタを通して熱画像を撮影するときには、赤外線カメラの視野を覆う位置において各フィルタを一定時間ずつ停止させつつ、各フィルタを切り替えて、各フィルタが赤外線カメラの視野において停止しているそれぞれのタイミングで熱画像を撮影する構成としている。
【０００５】
また当該従来技術では、各フィルタが赤外線カメラの視野において停止するときには、各フィルタの切替え装置から停止状態を示す信号（以下、停止信号と記載する）を発信する構成としており、停止信号を測定トリガとして、各フィルタに対応する熱画像を撮影する構成としている。つまり、当該従来技術では、波長帯の異なる三種類の熱画像を撮影するためには、各フィルタが赤外線カメラの視野を覆うタイミングで三回以上発信される測定トリガに同期して、三回以上の熱画像の撮影を行う必要があった。
【先行技術文献】
【特許文献】
【０００６】
【特許文献１】特開２００８−２９２３２４号公報
【発明の概要】
【発明が解決しようとする課題】
【０００７】
しかしながら、特許文献１に示された当該従来技術では、例えば振動が存在する測定環境下等では、測定トリガ（フィルタの停止信号）が発信されるタイミングと熱画像を撮影するタイミングの同期がうまく行かず、必要な三種類の熱画像を撮影することができない場合があった。この場合、三種類に満たない（二種類以下の）熱画像に基づいて真の表面温度分布の演算が行われるため、表面温度分布の測定精度が低下するという問題が生じていた。
【０００８】
本発明は、斯かる現状の課題を鑑みてなされたものであり、振動が存在する測定環境下においても、各フィルタに対応する熱画像を確実に撮影することを可能にし、これにより、表面温度分布の測定精度を確保することができる表面温度測定方法およびそれに用いられる表面温度測定装置を提供することを目的としている。
【課題を解決するための手段】
【０００９】
本発明の解決しようとする課題は以上の如くであり、次にこの課題を解決するための手段を説明する。
【００１０】
即ち、請求項１においては、対象物の表面から放射される赤外線の強度分布を表す静止画像である熱画像を、複数の異なる波長帯の赤外線について撮影し、複数の前記熱画像を取得する熱画像取得工程と、撮影した複数の前記熱画像に基づいて、前記対象物の真の表面温度の分布を演算する表面温度演算工程と、を有する表面温度測定方法であって、前記画像撮影工程は、複数の異なる波長帯の赤外線について、各波長帯の熱画像を撮影するための撮影期間をそれぞれに割り当てて、各撮影期間において、それぞれの波長帯の熱画像を、撮影時刻順にフレーム番号を付与しつつ所定の間隔で複数回撮影することで、それぞれの波長帯の熱画像を複数取得し、かつ、前記各撮影期間を連続させることにより、複数の異なる波長帯の複数の熱画像の集合である動画を取得する動画撮影工程と、該動画撮影工程で取得した前記一連の動画から、それぞれの波長帯に対応する各撮影期間を検出するとともに、各撮影期間において取得した複数の熱画像から、それぞれの波長帯に対応する最適な熱画像を一つずつ抽出する最適画像抽出工程と、を有するものである。
【００１１】
請求項２においては、前記最適画像抽出工程は、前記一連の動画を構成する各熱画像において検出した各最高温度と、前記各最高温度の微分値と、該各最高温度の微分値に対して規定する判定閾値と、に基づいて、前記各最高温度の微分値のうち、当該熱画像の最高温度の微分値が前記判定閾値以上であり、かつ、当該熱画像より一つ前のフレーム番号に該当する熱画像の最高温度の微分値が前記判定閾値未満である当該熱画像のフレーム番号を、波長帯ごとに検出し、波長帯ごとに検出した各フレーム番号を基準として、該基準となる各フレーム番号から所定のフレーム数だけ遡った各フレーム番号に該当する複数の熱画像を、前記それぞれの波長帯に対応する最適な熱画像として抽出するものである。
【００１２】
請求項３においては、前記判定閾値は、前記各最高温度の微分値の標準偏差とするものである。
【００１３】
請求項４においては、赤外線の強度分布を検出する赤外線分布検出手段と、それぞれ異なる波長帯の赤外線が透過可能な三種類以上のフィルタと、前記三種類以上のフィルタのいずれが前記赤外線分布検出手段の光路を覆うかを切り替える切り替え装置と、を備え、波長帯が異なる三種類以上の赤外線の強度分布を検出する表面温度測定装置であって、該表面温度測定装置は、前記三種類以上のフィルタに加えて、赤外線を透過しないパネルを備え、かつ、前記赤外線分布検出手段は、赤外線の強度分布を表す静止画像である熱画像を、該熱画像の集合である動画として取得するものである。
【００１４】
請求項５においては、前記パネルは、黒体によって形成するものである。
【発明の効果】
【００１５】
本発明の効果として、以下に示すような効果を奏する。
【００１６】
請求項１においては、振動が存在する測定環境下において、複数の熱画像を確実に取得することができる。
【００１７】
請求項２においては、振動が存在する測定環境下において、表面温度分布の演算に必要な複数の異なる波長帯に対応する熱画像を確実に取得することができる。
【００１８】
請求項３においては、判定閾値を自動的に設定することができ、これにより、表面温度分布の演算に必要な複数の異なる波長帯に対応する熱画像を容易、かつ、確実に取得することができる。
【００１９】
請求項４においては、振動が存在する測定環境下において、表面温度分布の演算に必要な複数の異なる波長帯に対応する熱画像を確実に取得することができる。
【００２０】
請求項５においては、複数の異なる波長帯に対応する熱画像の撮影タイミングを精度良く確実に判別するとともに、表面温度分布の測定精度を向上させることができる。
【図面の簡単な説明】
【００２１】
【図１】本発明の一実施例に係る表面温度測定装置の全体構成を示す模式図。
【図２】本発明の一実施例に係る赤外線カメラのフィルタ部を示す模式図、（ａ）正面模式図、（ｂ）図２（ａ）におけるＡ−Ａ断面模式図。
【図３】本発明の一実施例に係る赤外線カメラの他の実施形態を示す模式図。
【図４】本発明の一実施例に係るフィルタ部の回転状況（（ア）〜（エ））を示す模式図。
【図５】本発明の一実施例に係る表面温度測定方法を示す全体フロー図。
【図６】本発明の一実施例に係る赤外線カメラによる撮影状況を示す模式図、（ａ）第一フィルタ適用時（待機角度）の撮影状況を示す斜視模式図、（ｂ）パネル適用時の撮影状況を示す斜視模式図。
【図７】本発明の一実施例に係る赤外線カメラによる撮影状況（ディスク回転中）を示す模式図。
【図８】本発明の一実施例に係る表面温度測定方法（（ＳＴＥＰ−１）〜（ＳＴＥＰ−３））を示す部分フロー図。
【図９】本発明の一実施例に係る赤外線カメラによる撮影状況を示す模式図、（ａ）第一フィルタ適用時の撮影状況を示す斜視模式図、（ｂ）第二フィルタ適用時の撮影状況を示す斜視模式図。
【図１０】本発明の一実施例に係る赤外線カメラによる撮影状況を示す模式図、（ａ）第三フィルタ適用時の撮影状況を示す斜視模式図、（ｂ）パネル適用時の撮影状況を示す斜視模式図。
【図１１】本発明の一実施例に係る表面温度測定方法（ＳＴＥＰ−４）を示す部分フロー図。
【図１２】本発明の一実施例に係る表面温度測定方法における最適画像の抽出に用いるグラフを示す図。
【図１３】本発明の一実施例に係る表面温度測定方法（ＳＴＥＰ−５）を示す部分フロー図。
【発明を実施するための形態】
【００２２】
次に、発明の実施の形態を説明する。
まず始めに、本発明の一実施例に係る表面温度測定装置の全体構成について、図１〜図３を用いて説明をする。
図１に示す如く、表面温度測定装置１は、金型２の表面、特にキャビティ面２ａの温度分布を測定するために用いられる装置であり、赤外線カメラ３、制御装置４等を備えている。
【００２３】
本発明の一実施例に係る表面温度測定装置１による温度分布の測定対象物である金型２は、鍛造や鋳造に用いられる型であり、その合わせ面には、成形されるワーク（金型２により所定の形状に成形されたもの）に対応する形状のキャビティ面２ａが形成される。そして、本発明の一実施例に係る表面温度測定装置１は、ワークの成形工程において、キャビティ面２ａに離型剤を塗布するときのキャビティ面２ａの温度分布が所定の温度域にあるか否かを判定するための用途に用いられている。
【００２４】
尚、本発明に係る表面温度測定装置の用途は、本実施例に示す鍛造や鋳造に用いられる金型（特にキャビティ面）の表面温度分布を測定する用途に限定されず、種々の対象物の表面温度分布を測定する用途に広く適用することが可能である。
【００２５】
赤外線カメラ３は、本発明に係る赤外線分布検出手段の実施の一形態であり、金型２のキャビティ面２ａから放射される赤外線のうち、波長帯が異なる三種類の赤外線の強度分布をそれぞれ異なる測定タイミングにおいて検出するものである。ここで、「強度分布」とは、対象物の表面における赤外線のエネルギー強度の分布を指す。
赤外線カメラ３は、検出素子３ａ、レンズ３ｂ、フィルタ部６、切り替え装置１０等を備えている。
【００２６】
図１および図２（ａ）・（ｂ）に示す如く、レンズ３ｂは、所定の領域（視野）に存在する対象物から放射される赤外線を検出素子３ａに向けて収束させるものである。本実施例の場合、所定の領域（視野）内に金型２のキャビティ面２ａを配置することにより、レンズ３ｂによって、金型２のキャビティ面２ａから放射される赤外線を検出素子３ａに収束させることができる。尚、以下の説明では、赤外線カメラ３に向かって放射される赤外線が通る道筋であって、測定対象物を含むレンズ３ｂの視野から検出素子３ａに至るまでの範囲を、赤外線カメラ３の光路と呼ぶ（図１参照）。また、レンズ３ｂの光軸を光軸Ｘと呼び、レンズ３ｂから検出素子３ａに向けて出射される赤外線の光線束を光線束Ｙと呼ぶ（図２（ａ）・（ｂ）参照）。
【００２７】
フィルタ部６は、ディスク７、フィルタ８およびパネル９等を備えている。そして、フィルタ部６は、赤外線カメラ３における検出素子３ａとレンズ３ｂとの間であって光線束Ｙと交錯する位置に配設され、フィルタ部６によって、赤外線カメラ３の光路を覆うことができる構成としている。
【００２８】
ディスク７は、略円盤状の部材であり、フィルタ８あるいはパネル９をそれぞれ嵌め込むための複数の孔が形成されている。これらの孔は、それぞれディスク７の回転中心からの距離が略同じとなる位置であって、ディスク７の回転中心に対して９０度ずつ位相が異なる位置に形成されている。
【００２９】
フィルタ８は、第一フィルタ８ａ、第二フィルタ８ｂおよび第三フィルタ８ｃからなり、ディスク７に形成される孔に対応する形状である略円盤状の光学フィルタ（バンドパスフィルタ）を採用している。そして、各フィルタ８ａ・８ｂ・８ｃには、それぞれ異なる特定の波長帯の赤外線を透過できるものを選定している。本実施例では、第一フィルタ８ａとして短波長（波長が７．４μｍ〜９．０μｍ）の赤外線を透過可能なバンドパスフィルタを、第二フィルタ８ｂとして中波長（波長が９．３μｍ〜１１．３μｍ）の赤外線を透過可能なバンドパスフィルタを、第三フィルタ８ｃとして長波長（波長が１０．９μｍ〜１４．３μｍ）の赤外線を透過可能なバンドパスフィルタを、それぞれ選定している。
【００３０】
パネル９は、前記各フィルタ８ａ・８ｂ・８ｃと略同一の外形形状に形成される略円盤状の部材であり、赤外線を遮蔽できる素材によって形成されている。尚、パネル９の形状はこれに限定されず、各フィルタ８ａ・８ｂ・８ｃに対して異なる外形形状および大きさに形成されるものであっても良い。
【００３１】
そして、本実施例では、ディスク７に各フィルタ８ａ・８ｂ・８ｃおよびパネル９が合計四個備えられる構成とし、それぞれディスク７の回転中心からの距離が略同じとなる位置であって、ディスク７の回転中心に対して９０度ずつ位相が異なる位置に各フィルタ８ａ・８ｂ・８ｃおよびパネル９が配設される構成としている。
【００３２】
そして、各フィルタ８ａ・８ｂ・８ｃが、検出素子３ａとレンズ３ｂの間の赤外線カメラ３の光路に配置されるときには、レンズ３ｂによって収束される赤外線の光線束Ｙが各フィルタ８ａ・８ｂ・８ｃを通過するため、各フィルタ８ａ・８ｂ・８ｃの特性に応じた波長帯の赤外線が検出素子３ａに到達する（図２（ｂ）参照）。
【００３３】
また、パネル９が、検出素子３ａとレンズ３ｂの間の赤外線カメラ３の光路に配置されるときには、レンズ３ｂによって収束される赤外線の光線束Ｙがパネル９によって遮られるため、赤外線（光線束Ｙ）が検出素子３ａに到達しない。このため、パネル９によって光線束Ｙが遮られている間は、検出素子３ａに対する赤外線の入力が途絶え、検出素子３ａからの出力信号も途絶える状態となる。よってこの状態では、対象物の温度が見掛け上「０」として検出され、前記各フィルタ８ａ・８ｂ・８ｃを透過した赤外線の強度分布を検出する場合と、明確に差異のある測定結果が得られる。
【００３４】
尚、本実施例の赤外線カメラ３では、三種類の異なる波長帯の赤外線を透過する各フィルタ８ａ・８ｂ・８ｃを備える構成としているが、本発明に係るフィルタは、これら三種類の波長帯に対応するものに限定されず、必要に応じて種々の波長帯に対応するバンドパスフィルタを採用することができ、また、四種類以上のバンドパスフィルタを組み合わせて適用することもできる。
【００３５】
また、本実施例では、ディスク７に備えられる各フィルタ８ａ・８ｂ・８ｃおよびパネル９の個数が合計四個であり、ディスク７の回転中心に対して９０度ずつ位相が異なる位置に各フィルタ８ａ・８ｂ・８ｃおよびパネル９が配設される構成としているが、本発明に係るフィルタ部の構成をこれに限定するものではなく、フィルタやパネルの合計個数が五個以上であっても良く、そして、フィルタおよびパネルのディスクの回転中心に対する位相差が９０度以外の配置となる構成であっても良い。また、フィルタおよびパネルのディスクの回転中心に対する位相差がそれぞれ異なっていても良い。
【００３６】
また、本発明の一実施例に係る表面温度測定装置１では、図３に示すように、赤外線カメラ３を、レンズ３ｂと測定の対象物（金型２）との間にフィルタ部６を配設する構成とすることも可能である。
図３に示す赤外線カメラ３の構成において、レンズ３ｂの視野（即ち、赤外線カメラ３の光路）をパネル９で覆った場合には、検出素子３ａが、パネル９から放射される赤外線の強度分布を検出する。この場合にも、検出素子３ａが、前記各フィルタ８ａ・８ｂ・８ｃを透過した赤外線の強度分布を検出する場合と、明確に差異のある測定結果が得られる。
【００３７】
またフィルタ部６を、レンズ３ｂと測定の対象物（金型２）の間に配設する構成の赤外線カメラ３では、パネル９に替えて、黒体パネル９ａを用いることが可能である。
黒体パネル９ａは、前記各フィルタ８ａ・８ｂ・８ｃと略同一の外形形状に形成される円盤状の部材であり、その表面には全面的に黒体塗料が塗布され、黒体として取り扱うことができるパネルとして構成されている。尚、黒体パネル９ａの態様はこれに限定されず、例えば、円盤状パネルの表面に全面的に黒体テープを貼り付けた態様のもの等を採用することも可能である。
【００３８】
黒体パネル９ａを用いれば、赤外線カメラ３の視野を黒体パネル９ａで覆った状態では、検出素子３ａが、黒体パネル９ａから放射される赤外線の強度分布を検出するため、放射率の影響を考慮する必要のない状態で、黒体パネル９ａの表面温度を正確に測定することができるとともに、前記各フィルタ８ａ・８ｂ・８ｃを透過した赤外線の強度分布を検出する場合と、明確に差異のある測定結果が得られる。さらに、黒体パネル９ａの表面温度の測定結果を利用して、各フィルタ８ａ・８ｂ・８ｃを透過した赤外線の強度分布の検出結果から求める表面温度分布を補正し、温度分布の測定精度をさらに向上させることも可能である。
【００３９】
即ち、本発明の一実施例に係る表面温度測定装置１においては、パネル９は、黒体によって形成される黒体パネル９とすることが可能である。
このような構成により、複数の異なる波長帯に対応する熱画像の撮影タイミングを精度良く確実に判別するとともに、温度分布の測定精度を向上させることができる。
【００４０】
図１〜図３に示す如く、切り替え装置１０は、ディスク７を回転駆動することができるアクチュエータであり、モータ軸１０ｂを有するモータ１０ａによって構成されており、モータ軸１０ｂはディスク７の中心に固定されている。
そして、モータ１０ａを駆動するとモータ軸１０ｂ回りにディスク７が回転し、各フィルタ８ａ・８ｂ・８ｃ、あるいはパネル９のうち、赤外線の光線束Ｙ（即ち、赤外線カメラ３の光路）を覆う位置に配置されるものが切り替わる。尚、本実施例に示す赤外線カメラ３では、ディスク７の中心から図２（ａ）中における左斜め下４５度の角度の位置にレンズ３ｂの光軸Ｘを配置する構成としている。
【００４１】
図１に示す如く、制御装置４は、制御部４ａ、入力部４ｂ、表示部４ｃ等を備えている。
制御部４ａは表面温度測定装置１の一連の動作を制御するものであり、実体的には、種々のプログラム等（例えば、表面温度演算プログラムや、後述する最適熱画像抽出プログラム等）を格納する格納手段、各プログラム等を展開する展開手段、各プログラム等に従って所定の演算を行う演算手段、演算結果（図１中に示すグラフ等）を保管する保管手段等を備えている。
【００４２】
係る制御部４ａは、より具体的には、ＣＰＵ、ＲＯＭ、ＲＡＭ、ＨＤＤ等がバス接続される構成や、あるいはワンチップのＬＳＩ等からなる構成とすることができる。
図１に示すように、本実施例の制御部４ａは市販のパーソナルコンピュータを用いて達成されるが、前記ＣＰＵ等を備える専用品に前記プログラム群を格納したもので達成することもできる。
【００４３】
また、制御部４ａは赤外線カメラ３に接続され、赤外線カメラ３を動作させるための信号を送信可能であるとともに、赤外線カメラ３により撮影された画像情報（例えば、金型２のキャビティ面２ａから放射される各波長帯における赤外線の強度分布に係る情報等）を受信（取得）することができる。
【００４４】
また、制御部４ａは切り替え装置１０のモータ１０ａに接続され、モータ１０ａの駆動および停止に係る信号を送信することにより、モータ軸１０ｂの動作を制御することができる。即ち、切り替え装置１０によって、制御部４ａからの指令信号に応じて、各フィルタ８ａ・８ｂ・８ｃ、あるいはパネル９のいずれが赤外線カメラ３の光路を覆うかを選択することができる。
【００４５】
入力部４ｂは制御部４ａに接続され、制御部４ａに表面温度測定装置１の動作に係る種々の情報・指示等を入力するものである。
図１に示すように、本実施例の入力部４ｂは、市販のパーソナルコンピュータに備えられるキーボードによって達成されるが、その他の専用品やマウス、ポインティングデバイス、ボタン、スイッチ等を用いても同様の効果を達成することができる。
【００４６】
表示部４ｃは表面温度測定装置１の動作状況、入力部４ｂから制御部４ａへの入力内容、表面温度測定装置１による測定結果等を表示するものである。
図１に示すように、本実施例の表示部４ｃは市販のパーソナルコンピュータに備えられるディスプレイによって達成されるが、その他の専用品や外部モニター等を用いても同様の効果を達成することができる。
【００４７】
ここで、フィルタ８の切り替え状況について、図１および図４を用いて説明をする。
ディスク７は、制御装置４の制御部４ａから出力される指令信号に応じて、切り替え装置１０のモータ１０ａによって回転駆動されるが、このときのディスク７の回転状況（即ち、ディスク７の回転角度）に応じて、適用されるフィルタ８（即ち、各フィルタ８ａ・８ｂ・８ｃ）あるいはパネル９が切り替えられる。
【００４８】
具体的には、図４の状態（ア）に示す如く、ディスク７が、第一フィルタ８ａの中心と光軸Ｘが略一致する回転角度となる状態では、レンズ３ｂによって収束される赤外線（光線束Ｙ）が、第一フィルタ８ａを透過して検出素子３ａに到達する。そしてこの状態では、検出素子３ａによって、特定の波長帯（本実施例では、波長が７．４μｍ〜９．０μｍである短波長の赤外線）における赤外線の強度分布を検出することができる。
【００４９】
また、この状態からディスク７を９０度だけ所定の方向（本実施例では、図４中における時計回り）に回転することによって、ディスク７が、第二フィルタ８ｂの中心と光軸Ｘが略一致する回転角度となる状態（図４に示す状態（イ））に切り替えることができる。
第二フィルタ８ｂの中心と光軸Ｘが略一致する状態では、レンズ３ｂによって収束される赤外線（光線束Ｙ）が、第二フィルタ８ａを透過して検出素子３ａに到達する。そしてこの状態では、検出素子３ａによって、特定の波長帯（本実施例では、（波長が９．３μｍ〜１１．３μｍである中波長の赤外線）における赤外線の強度分布を検出することができる。
【００５０】
また、この状態からディスク７を９０度だけ所定の方向（図４中における時計回り）に回転することによって、ディスク７が、第三フィルタ８ｃの中心と光軸Ｘが略一致する回転角度となる状態（図４に示す状態（ウ））に切り替えることができる。
第三フィルタ８ｃの中心と光軸Ｘが略一致する状態では、レンズ３ｂによって収束される赤外線（光線束Ｙ）が、第三フィルタ８ｃを透過して検出素子３ａに到達する。そしてこの状態では、検出素子３ａによって、特定の波長帯（本実施例では、（波長が１０．９μｍ〜１４．３μｍである長波長の赤外線）における赤外線の強度分布を検出することができる。
【００５１】
また、この状態からディスク７を９０度だけ所定の方向（図４中における時計回り）に回転することによって、ディスク７が、パネル９の中心と光軸Ｘが略一致する回転角度となる状態（図４に示す状態（エ））に切り替えることができる。
パネル９の中心と光軸Ｘが略一致する状態では、レンズ３ｂによって収束される赤外線が、パネル９によって遮られるため、赤外線（光線束Ｙ）が検出素子３ａに到達しない。この状態では、検出素子３ａによって、赤外線の強度分布を検出することはできないが、これにより、測定温度が見掛け上「０」となる測定結果を積極的に得ることができる。
【００５２】
尚、本実施例ではディスク７にそれぞれ異なる波長帯の赤外線を透過可能な三つの各フィルタ８ａ・８ｂ・８ｃとパネル９を嵌め込み、モータ１０ａでディスク７を回転駆動することにより三つの各フィルタ８ａ・８ｂ・８ｃあるいはパネル９のいずれが光線束Ｙを覆うかを切り替える構成としたが、本発明はこれに限定されず、他の方法（例えば、三つ以上のフィルタやパネルを並列させて嵌め込んだ部材を並列方向に沿ってスライドさせる等）により光線束Ｙを覆うフィルタやパネルを切り替える構成としても同様の効果を奏する。
【００５３】
次に、本発明の一実施例に係る表面温度測定装置による表面温度測定方法について、図５〜図１３を用いて説明をする。
図５に示す如く、本発明の一実施例に係る表面温度測定装置１による表面温度測定方法では、測定開始当初において、表面温度測定装置１は測定トリガの入力待ち状態となっている（ＳＴＥＰ−１）。
そして、図６（ａ）に示す如く、測定トリガの入力待ち状態（ＳＴＥＰ−１）である赤外線カメラ３では、ディスク７が、第一フィルタ８ａの中心と光軸Ｘが略一致する回転角度となる状態（即ち、第一フィルタ８ａによって光線束Ｙを覆う状態）で保持されている。尚、このときのディスク７の回転角度を「待機角度」と呼ぶ。これは、動画撮影工程以外のときにも赤外線カメラ３により撮影される映像が確認できる方が便利であるためであり、測定トリガの入力待ち状態においては、パネル９以外の各フィルタ８ａ・８ｂ・８ｃのいずれかが赤外線カメラ３の光路を覆う状態に保持しておくことが望ましい。
【００５４】
そして、測定対象物たる金型２を含む生産装置（例えば、鍛造装置や鋳造装置）から成形工程を開始する旨の信号（生産工程開始信号）が表面温度測定装置に入力され、当該生産工程開始信号の受信する（即ち、測定トリガがＯＮとなる）ことを条件として（ＳＴＥＰ−２）、次工程である熱画像取得工程に移行する。
【００５５】
熱画像取得工程では、対象物（金型２）の真の表面温度を演算するために必要な、赤外線の波長帯が異なる複数の熱画像を取得する。本発明の一実施例に係る表面温度測定装置１による表面温度測定方法では、当該熱画像取得工程が、動画撮影工程（ＳＴＥＰ−３）と、最適画像抽出工程（ＳＴＥＰ−４）の各工程からなる構成としている。
そして、熱画像取得工程が完了すると、表面温度演算工程（ＳＴＥＰ−５）に移行し、熱画像取得工程で取得した熱画像に基づいて、真の表面温度を演算する。
これが、表面温度測定装置１による表面温度測定方法の概要であるが、以下で各工程をさらに詳細に説明をする。
【００５６】
まず、動画撮影工程（ＳＴＥＰ−３）について、さらに詳細に説明をする。
図５および図８に示す如く、表面温度測定装置１に対して測定トリガとなる生産工程開始信号が入力されると（ＳＴＥＰ−２）、熱画像取得工程の第一段階である動画撮影工程に移行する（ＳＴＥＰ−３）。動画撮影工程では、表面温度測定装置１による金型２（キャビティ面２ａ）の熱画像の撮影が行われるが、この熱画像の撮影は、赤外線カメラ３によって熱画像を動画で撮影することによって行われる。
【００５７】
ここで「動画」とは、略一定のフレームレート（単位時間あたりに撮影される静止画像のコマ数）で間欠的に撮影された複数の熱画像（フレーム）の集合体であり、撮影された各熱画像には、動画の撮影開始時点から撮影終了時点に至るまで、時刻順に連続するフレーム番号が付与されるものである。
【００５８】
図５および図８に示す如く、測定トリガが入力されると（ＳＴＥＰ−２）、ディスク７を次の停止角度とするべく、パネル９の中心と光軸Ｘが略一致するように、ディスク７を図６（ａ）に示す状態から矢印αの方向に９０度回転させて、図６（ｂ）に示す状態とする。これにより、光線束Ｙがパネル９によって遮られる状態となる（ＳＴＥＰ−３−１）。尚、このときのディスク７の回転角度を「基準角度」と呼ぶ。また、測定トリガの入力と同時に、赤外線カメラ３による動画の撮影を開始する（ＳＴＥＰ−３−２）。
【００５９】
このとき赤外線カメラ３による動画の撮影は、図７に示すように、ディスク７が所定の角速度で回転している状況下（即ち、第一フィルタ８ａが光線束Ｙを覆う面積と、第一フィルタ８ａとパネル９の境目に位置するディスク７が光線束Ｙを遮る面積と、パネル９が光線束Ｙを遮る面積と、が刻々と変化している状態）において行われる。尚、説明の便宜上、このタイミングの撮影期間を識別する番号として、期間番号（１）を付与する。そして、図８および図１２において、対応する期間には当該期間番号を表示している。以下の説明で付与する期間番号（２）〜（１０）についても同様とする。また、以下の説明では、説明の便宜上、図７以外の態様である回転中のディスク７の図示は割愛する。
【００６０】
次に、所定時間（例えば、１００ｍｓｅｃ）だけディスク７の回転を停止させて、パネル９によって光線束Ｙを遮る状態を保持する（ＳＴＥＰ−３−３）。
このときの赤外線カメラ３による動画の撮影は、パネル９が静止し安定している状態で行われる。尚、説明の便宜上、この撮影期間を識別する番号として、期間番号（２）を付与する。
【００６１】
次に、ディスク７を次の停止角度とするべく、第一フィルタ８ａの中心と光軸Ｘが略一致するように、ディスク７を図６（ｂ）に示す状態から矢印βの方向に９０度回転させて、図９（ａ）に示す状態とする。これにより、光線束Ｙが第一フィルタ８ａによって覆われる（ＳＴＥＰ−３−４）。
このときの赤外線カメラ３による動画の撮影は、ディスク７が所定の角速度で回転している状況下（即ち、パネル９が光線束Ｙを遮る面積と、第一フィルタ８ａとパネル９の境目に位置するディスク７が光線束Ｙを遮る面積と、第一フィルタ８ａが光線束Ｙを覆う面積と、が刻々と変化している状態）において行われる。尚、説明の便宜上、この撮影期間を識別する番号として、期間番号（３）を付与する。
【００６２】
次に、所定時間（例えば、１００ｍｓｅｃ）だけディスク７の回転を停止させて、第一フィルタ８ａによって光線束Ｙを覆う状態を保持する（ＳＴＥＰ−３−５）。
このときの赤外線カメラ３による動画の撮影は、第一フィルタ８ａが静止し安定している状態において行われ、第一フィルタ８ａを透過した特定の波長帯の赤外線強度を示す画像が動画として安定して撮影される。尚、説明の便宜上、この撮影期間を識別する番号として、期間番号（４）を付与する。
【００６３】
次に、ディスク７を次の停止角度とするべく、第二フィルタ８ｂの中心と光軸Ｘが略一致するように、ディスク７を図９（ａ）に示す状態から矢印βの方向に９０度回転させて、図９（ｂ）に示す状態とする。これにより、光線束Ｙが第二フィルタ８ｂによって覆われる（ＳＴＥＰ−３−６）。
このときの赤外線カメラ３による動画の撮影は、ディスク７が所定の角速度で回転している状況下（即ち、第一フィルタ８ａが光線束Ｙを覆う面積と、第一フィルタ８ａと第二フィルタ８ｂの境目に位置するディスク７が光線束Ｙを遮る面積と、を第二フィルタ８ｂが光線束Ｙが覆う面積と、が刻々と変化している状態）において行われる。尚、説明の便宜上、この撮影期間を識別する番号として、期間番号（５）を付与する。
【００６４】
次に、所定時間（例えば、１００ｍｓｅｃ）だけディスク７の回転を停止させて、第二フィルタ８ｂによって光線束Ｙを覆う状態を保持する（ＳＴＥＰ−３−７）。
このときの赤外線カメラ３による動画の撮影は、第二フィルタ８ｂが静止し安定した状態において行われ、第二フィルタ８ｂを透過した特定の波長帯の赤外線を示す画像が動画として安定して撮影される。尚、説明の便宜上、この撮影期間を識別する番号として、期間番号（６）を付与する。
【００６５】
次に、ディスク７を次の停止角度とするべく、第三フィルタ８ｃの中心と光軸Ｘが略一致するように、ディスク７を図９（ｂ）に示す状態から矢印βの方向に９０度回転させて、図１０（ａ）に示す状態とする。これにより、光線束Ｙが第三フィルタ８ｃによって覆われる（ＳＴＥＰ−３−８）。
このときの赤外線カメラ３による動画の撮影は、ディスク７が所定の角速度で回転している状況下（即ち、第二フィルタ８ｂが光線束Ｙを覆う面積と、第二フィルタ８ｂと第三フィルタ８ｃの境目に位置するディスク７が光線束Ｙを遮る面積と、第三フィルタ８ｃが光線束Ｙを覆う面積と、が刻々と変化している状態）において行われる。尚、説明の便宜上、この撮影期間を識別する番号として、期間番号（７）を付与する。
【００６６】
次に、所定時間（例えば、１００ｍｓｅｃ）だけディスク７の回転を停止させて、第三フィルタ８ｃによって光線束Ｙを覆う状態を保持する（ＳＴＥＰ−３−９）。
このときの赤外線カメラ３による動画の撮影は、第三フィルタ８ｃが静止し安定している状態において行われ、第三フィルタ８ｃを透過した特定の波長帯の赤外線を示す画像が動画として安定して撮影される。尚、説明の便宜上、この撮影期間を識別する番号として、期間番号（８）を付与する。
【００６７】
次に、ディスク７を次の停止角度とするべく、パネル９の中心と光軸Ｘが略一致する（即ち、ディスク７が「基準角度」となる）ように、ディスク７を図１０（ａ）に示す状態から矢印βの方向に９０度回転させて、図１０（ｂ）に示す状態とする。これにより、光線束Ｙがパネル９によって再び遮られる（ＳＴＥＰ−３−１０）。
このときの赤外線カメラ３による動画の撮影は、ディスク７が所定の角速度で回転している状況下（即ち、第三フィルタ８ｃが光線束Ｙを覆う面積と、第三フィルタ８ｃとパネル９の境目に位置するディスク７が光線束Ｙを遮る面積と、パネル９が光線束Ｙを遮る面積と、が刻々と変化している状態）において行われる。尚、説明の便宜上、この撮影期間を識別する番号として、期間番号（９）を付与する。
【００６８】
次に、所定時間（例えば、１００ｍｓｅｃ）だけディスク７の回転を停止させて、パネル９によって光線束Ｙを遮る状態を保持する（ＳＴＥＰ−３−１１）。
このときの赤外線カメラ３による動画の撮影は、パネル９が静止し安定している状態で行われる。尚、説明の便宜上、この撮影期間を識別する番号として、番号（１０）を付与する。そして、以上で赤外線カメラ３による動画の撮影を終了する（ＳＴＥＰ−３−１２）。
【００６９】
さらに、動画の撮影終了後には、ディスク７を次の停止角度とするべく、第一フィルタ８ａの中心と光軸Ｘが略一致する（即ち、ディスク７が「待機角度」となる）ように、ディスク７を図１０（ｂ）に示す状態から矢印βの方向に９０度回転させて、図６（ａ）に示す状態とする。
これにより、赤外線カメラ３を、光線束Ｙが第一フィルタ８ａによって覆われる状態（即ち、測定トリガの入力待ち状態）に待機させる（ＳＴＥＰ−３−１３）とともに、動画撮影工程（ＳＴＥＰ−３）を完了して、その後、各波長帯における最適画像抽出工程（ＳＴＥＰ−４）に移行する。
【００７０】
尚、本発明に係る表面温度測定装置および表面温度測定方法では、各フィルタ８ａ・８ｂ・８ｃおよびパネル９によって、光線束Ｙを覆うあるいは遮る状態において、必ずしもディスク７の回転を所定時間停止させる必要はなく、例えば、所定の一定の角速度で継続してディスク７を回転させたり、ディスク７の回転位相に応じて角速度を変化させながらディスク７を回転させたりする構成等とすることも可能であり、各フィルタ８ａ・８ｂ・８ｃおよびパネル９によって、光線束Ｙを覆った状態を一定時間形成できる構成であればよい。
【００７１】
即ち、本発明の一実施例に係る表面温度測定装置１は、赤外線の強度分布を検出する赤外線カメラ３と、それぞれ異なる波長帯の赤外線が透過可能な三種類以上のフィルタ８（各フィルタ８ａ・８ｂ・８ｃ）と、各フィルタ８ａ・８ｂ・８ｃのいずれが赤外線カメラ３の光路を覆うかを切り替える切り替え装置１０と、を備え、波長帯が異なる三種類以上の赤外線の強度分布を検出する表面温度測定装置１であって、該表面温度測定装置１は、各フィルタ８ａ・８ｂ・８ｃに加えて、赤外線を透過しないパネル９を備え、かつ、赤外線カメラ３は、赤外線の強度分布を表す静止画像である熱画像を、該熱画像の集合である動画として撮影するものである。
このような構成により、振動が存在する測定環境下において、表面温度分布の演算に必要な複数の異なる波長帯に対応する熱画像を確実に取得することができる。
【００７２】
次に、最適画像抽出工程（ＳＴＥＰ−４）について、説明をする。
図５および図１１に示す如く、動画撮影工程（ＳＴＥＰ−３）が完了すると、最適画像抽出工程（ＳＴＥＰ−４）に移行する。
【００７３】
図１１に示す如く、熱画像取得工程の第二段階である最適画像抽出工程（ＳＴＥＰ−４）では、制御装置４によって、まず撮影された動画を構成する各熱画像を解析し、各熱画像から算出した表面温度分布における最高温度を検出する（ＳＴＥＰ−４−１）。
そして、検出した各熱画像における最高温度を、フレーム番号順（時刻順）にプロットしたグラフ（図１２中に示すグラフ（ａ））を作成する（ＳＴＥＰ−４−２）。
【００７４】
次に、検出した各熱画像における最高温度に基づいて、各熱画像における最高温度の微分値を算出する（ＳＴＥＰ−４−３）。
具体的には、フレーム番号ｍ（ｍは０を含む自然数）の熱画像の最高温度をＴｍと表し、最高温度の微分値をｄＴｍと表すとき、最高温度の微分値ｄＴｍは、以下に示す数式１によって算出される。
【００７５】
【数１】
2010261814.tif 000003
【００７６】
そして、算出した各熱画像における最高温度の微分値ｄＴｍを、フレーム番号順（時刻順）にプロットしたグラフ（図１２中に示すグラフ（ｂ））を作成する（ＳＴＥＰ−４−４）。
さらに、算出した各熱画像における最高温度の微分値ｄＴｍの標準偏差σを算出し、算出した標準偏差σ（図１２中に示す標準偏差（ｃ））をグラフ上に判定閾値Ｓとして表示する（ＳＴＥＰ−４−５）。このようにして作成されるグラフは、図１２に示すようなグラフとして表され、当該グラフは制御部４ａに記憶される（図１参照）。
【００７７】
尚、本実施例では、検出した最高温度Ｔｍや、算出した最高温度の微分値ｄＴｍおよびその標準偏差σ（判定閾値Ｓ）のデータをグラフ化する構成としているが、本発明に係る表面温度測定方法では、必ずしも各データをグラフ化する必要はなく、数値データのまま制御部４ａに保持し利用することも可能である。
【００７８】
そして、本発明の一実施例に係る表面温度測定方法では、作成したグラフ（図１２参照）に基づいて、以後各波長帯における最適画像の選択に移行する。
まず、図１２に示すグラフから、最高温度が「０」となっている熱画像のフレーム番号を検出する（ＳＴＥＰ−４−６）。これは、光線束Ｙがパネル９によって遮られた状態で撮影された各熱画像が含まれるフレーム番号を検出することを意図するものである。そして、本実施例では、期間番号（２）および（１０）の撮影期間に含まれる各フレーム番号が最高温度が「０」となっている熱画像のフレーム番号に該当する。
【００７９】
本発明の一実施例に係る赤外線カメラ３では、赤外線カメラ３の光路を覆うあるいは遮るフィルタ８およびパネル９が、動画の撮影中に、「パネル９」→「第一フィルタ８ａ」→「第二フィルタ８ｂ」→「第三フィルタ８ｃ」→「パネル９」の順序で切り替えられる設定としている。
即ち、フィルタ部６に各フィルタ８ａ・８ｂ・８ｃに加えてパネル９を備える構成とし、最高温度が「０」となっている熱画像のフレーム番号を検出することにより、有効な熱画像（各フィルタ８ａ・８ｂ・８ｃを通過させて撮影される熱画像）が含まれ得るフレーム番号の範囲（開始点と終了点）をより明確に把握することが可能になる。
【００８０】
さらに、図１２に示すグラフからは、期間番号（４）の撮影期間では第一フィルタ８ａによって光線束Ｙが覆われた状態で動画が撮影され、期間番号（６）の撮影期間では第二フィルタ８ｂによって光線束Ｙが覆われた状態で動画が撮影され、期間番号（８）の撮影期間では第三フィルタ８ｃによって光線束Ｙが覆われた状態で動画が撮影されたものであることを、測定者は一見して把握することができる。
【００８１】
これにより、図１２に示すグラフを用いれば、測定者の判断により、各フィルタ８ａ・８ｂ・８ｃに対応する各熱画像のフレーム番号を容易かつ確実に取得することができる。
【００８２】
そして、本発明の一実施例に係る表面温度測定方法では、このような最適画像の選択を、制御装置４の制御部４ａに格納された最適熱画像抽出プログラムによって自動的に行うようにしている。
【００８３】
具体的には、図１２に示すグラフから、制御部４ａによって最適熱画像抽出プログラムに従って、まず最高温度の微分値が判定閾値Ｓ以下である状態から判定閾値Ｓ以上である状態に遷移した直後の各プロット点を検出するとともに、当該各プロット点の各フレーム番号Ｐ・Ｑ・Ｒを検出する（ＳＴＥＰ−４−７）。
これは、ディスク７が回転し始めた直後に撮影された熱画像のフレーム番号を検出することを意図するものである。本実施例の場合、各フレーム番号Ｐ・Ｑ・Ｒの具体的な番号はそれぞれフレーム番号（３１）・（４３）・（５５）に該当する。
【００８４】
次に、制御部４ａによって最適熱画像抽出プログラムに従って、ディスク７が回転し始めた直後に撮影された熱画像に該当する各フレーム番号Ｐ・Ｑ・Ｒから、それぞれ所定数（ｎ１・ｎ２・ｎ３）だけ前に遡った各フレーム番号（Ｐ−ｎ１）・（Ｑ−ｎ２）・（Ｒ−ｎ３）を抽出（算出）する（ＳＴＥＰ−４−８）。
これは、ディスク７が回転し始めた直後のタイミングにあたる各フレーム番号Ｐ・Ｑ・Ｒをより前の所定の撮影区間（コマ数）に撮影された各熱画像は、各フィルタ８ａ・８ｂ・８ｃが、光線束Ｙを覆って停止している状態で撮影された各熱画像に確実に該当するからである。これにより、各フィルタ８ａ・８ｂ・８ｃが、光線束Ｙを覆って停止している状態で撮影された熱画像の各フレーム番号を確実に検出することができる。
【００８５】
また、所定の各数（ｎ１・ｎ２・ｎ３）は、各熱画像を実際に確認した上で、測定者が最適であると判断する熱画像のフレーム番号を基準に求めたり、あるいは、ディスク７の回転速度（角速度）や停止時間および赤外線カメラ３のフレームレート等に応じて自動的に求めたりする構成とすることが可能である。具体的には、本実施例では、所定数ｎ１・ｎ２・ｎ３の各数の値はそれぞれ「４」・「５」・「５」としており、各フレーム番号（Ｐ−ｎ１）・（Ｑ−ｎ２）・（Ｒ−ｎ３）はそれぞれフレーム番号（２７）・（３８）・（５０）に該当する。
【００８６】
そして、制御部４ａによって最適熱画像抽出プログラムに従って、光線束Ｙを各フィルタ８ａ・８ｂ・８ｃで覆って停止している状態に該当するものとして検出された各フレーム番号（Ｐ−ｎ１）・（Ｑ−ｎ２）・（Ｒ−ｎ３）に対応する熱画像を、各フィルタ８ａ・８ｂ・８ｃに対応する（即ち、波長帯が異なる）各熱画像として取得する（ＳＴＥＰ−４−９）。
具体的には、本実施例では、フレーム番号（２７）・（３８）・（５０）に該当する各熱画像を取得する。
【００８７】
最後に、制御部４ａによって最適熱画像抽出プログラムに従って、熱画像を取得した各フレーム番号（Ｐ−ｎ１）・（Ｑ−ｎ２）・（Ｒ−ｎ３）以外のフレーム番号に対応する熱画像を廃棄する（ＳＴＥＰ−４−１０）。
このように、表面温度の演算に必要となる三種類の熱画像だけを残しつつ、その他の熱画像を廃棄することにより、制御装置４に多大な容量の記憶装置を備える必要がなくなり、比較的低容量の記憶装置で制御装置４を構成することが可能になる。
以上で、最適画像選択工程（ＳＴＥＰ−４）を終了する。
そして、熱画像取得工程（ＳＴＥＰ−３およびＳＴＥＰ−４）が完了すると、次の表面温度演算工程（ＳＴＥＰ−５）に移行する。
【００８８】
即ち、本発明の一実施例に係る表面温度測定方法は、対象物たる金型２のキャビティ面２ａの表面から放射される赤外線の強度分布を表す静止画像である熱画像を、複数の異なる波長帯の赤外線について撮影し、複数の前記熱画像を取得する熱画像取得工程と、撮影した複数の熱画像に基づいて、キャビティ面２ａの真の表面温度の分布を演算する表面温度演算工程と、を有する表面温度測定方法であって、画像撮影工程は、複数の異なる波長帯の赤外線について、各波長帯の熱画像を撮影するための撮影期間（例えば、期間番号（４）・（６）・（８）の撮影期間）をそれぞれに割り当てて、各撮影期間において、それぞれの波長帯の熱画像を、撮影時刻順にフレーム番号を付与しつつ所定の間隔で複数回撮影することで、それぞれの波長帯の熱画像を複数取得し、かつ、前記各撮影期間を連続させることにより、複数の異なる波長帯の複数の熱画像の集合である動画を取得する動画撮影工程（ＳＴＥＰ−３）と、該動画撮影工程（ＳＴＥＰ−３）で取得した一連の動画から、それぞれの波長帯に対応する各撮影期間（例えば、期間番号（４）・（６）・（８）の撮影期間）を検出するとともに、各撮影期間（例えば、期間番号（４）・（６）・（８）の撮影期間）において取得した複数の熱画像から、それぞれの波長帯に対応する最適な熱画像を一つずつ抽出する最適画像抽出工程（ＳＴＥＰ−４）と、を有するものである。
このような構成により、振動が存在する測定環境下において、複数の熱画像を確実に取得することができる。
【００８９】
また、本発明の一実施例に係る表面温度測定方法では、最適画像抽出工程（ＳＴＥＰ−４）は、一連の動画を構成する各熱画像において検出した各最高温度Ｔｍと、前記各最高温度の微分値ｄＴｍと、該各最高温度の微分値ｄＴｍに対して規定する判定閾値Ｓと、に基づいて、前記各最高温度の微分値ｄＴｍのうち、当該熱画像の最高温度の微分値ｄＴｍが前記判定閾値Ｓ以上であり、かつ、当該熱画像より一つ前のフレーム番号に該当する熱画像の最高温度の微分値ｄＴｍが前記判定閾値Ｓ未満である当該熱画像のフレーム番号を、波長帯ごとに検出し、波長帯ごとに検出した各フレーム番号（Ｐ・Ｑ・Ｒ）を基準として、該基準となる各フレーム番号（Ｐ・Ｑ・Ｒ）から所定のフレーム数（ｎ１・ｎ２・ｎ３）だけ遡った各フレーム番号（Ｐ−ｎ１）・（Ｑ−ｎ２）・（Ｒ−ｎ３）に該当する複数の熱画像を、前記それぞれの波長帯に対応する最適な熱画像として抽出するものである。
このような構成により、振動が存在する測定環境下において、表面温度分布の演算に必要な複数の異なる波長帯に対応する熱画像を確実に取得することができる。
【００９０】
また、本発明の一実施例に係る表面温度測定方法では、判定閾値Ｓは、各最高温度の微分値ｄＴｍの標準偏差σとするものである。
このような構成により、判定閾値Ｓを自動的に設定することができ、これにより、表面温度分布の演算に必要な複数の異なる波長帯に対応する熱画像を容易、かつ、確実に取得することができる。
【００９１】
次に、（ＳＴＥＰ−５）における表面温度演算工程について、図１３を用いて説明をする。
図１３に示す如く、表面温度演算工程では、取得した波長帯が異なる三種類の赤外線強度を示す静止画像に基づいて、制御部４ａにより表面温度演算プログラムに従って、真の表面温度の演算を行う（ＳＴＥＰ−５−１）。
そして、制御部４ａによる真の表面温度の演算結果を、熱画像として制御装置４の表示部４ｃに表示するようにしている（ＳＴＥＰ−５−２）。
【００９２】
以上により、一連の真の表面温度の測定が行われるとともに、再び（ＳＴＥＰ−１）の状態に戻って、表面温度測定装置１が測定トリガの入力待ち状態となり、次の対象物（金型２）に対する測定に備える。これにより、連続的に行われる生産工程に対応することができ、例えば、連続して鍛造が行われる工程において、離型剤の塗布が行われる度に、金型２のキャビティ面２ａについて、表面温度分布の測定を精度良く行うことが可能になる。
【符号の説明】
【００９３】
１    表面温度測定装置
３    赤外線カメラ
６    フィルタ部
７    ディスク
８    フィルタ
８ａ  第一フィルタ
８ｂ  第二フィルタ
８ｃ  第三フィルタ
９    パネル
９ａ  黒体パネル
１０  切り替え装置
【図１】
2010261814.tif 000004
【図２】
2010261814.tif 000005
【図３】
2010261814.tif 000006
【図４】
2010261814.tif 000007
【図５】
2010261814.tif 000008
【図６】
2010261814.tif 000009
【図７】
2010261814.tif 000010
【図８】
2010261814.tif 000011
【図９】
2010261814.tif 000012
【図１０】
2010261814.tif 000013
【図１１】
2010261814.tif 000014
【図１２】
2010261814.tif 000015
【図１３】
2010261814.tif 000016